(57)【要約】  本発明の課題は、処理剤の作用物質を希釈するのに必要な液体量を最小にできる可能性を提供し、さらに浮遊持続時間が長い、液体が遊離したエアロゾルになるまでの極めて様々な液体割合により、極めて安定したエアロゾルを速やかに生成するための方法、及び様々なエアロゾル媒質を浮遊持続時間の長い、ほぼ同じ大きさで細かいエアロゾル粒子の、粉末状または液状に配分することができる、特に害虫駆除、植物保護、消毒および施肥を行うための方法を実施するための装置と所属するノズルを提供することにある。処理剤を空気あるいは他のガスあるいはガス混合物と混合し、空気処理剤混合物あるいはガス処理剤混合物を噴霧するための方法、所属する装置と対応するノズルを備えた、極めて安定したエアロゾルを速やかに発生させるための方法を提案する。本発明の適用分野は、植物保護、害虫駆除の専門分野および似たような専門分野にある。
2008520405.tif 000002
【特許請求の範囲】
【請求項１】
液体あるいは固体の処理剤が、植物保護剤、植物育成剤、有害生物駆除剤、消毒剤、肥料および／または他の任意の作用物質であり、前記処理剤が少なくとも一つの作用物質をこのために含んでいる、処理剤を空気あるいは他のガスあるいはガス混合物と混合し、かつ空気処理剤混合物を噴霧するための方法において、
処理剤が第一混合段において、空気流内に装入され、かつその中で流れ横方向に分配されること、
そこから形成される第一混合流が、液体導管を通って少なくとも一つの、あるいは相前後した複数の別の混合段に供給されること、
この別の混合段かあるいはこれらの別の混合段において、各々関係する混合流が別の空気流内に装入され、かつこの中で流れ横方向に、各々新しい混合流を形成することにより分配されること、そして
最後の混合流がエアロゾルの形で使用領域内かあるいは使用領域上に噴霧されることを特徴とする方法。
【請求項２】
最終混合段において、二つの別の空気流を用いて、互いに同軸に設けられた二つの空気噴流が生じ、その際これらの空気噴流の間に負圧領域が形成され、この負圧領域内で両空気噴流が協働して噴流ポンプ原理による負圧を発生させること、および
最後から二番目の混合段の混合流が、互いに同軸な両空気噴流間で負圧領域内に案内され、次いでこれらにより両空気噴流が収容され、したがって両空気噴流とこれにより収容される混合流が、協働してエアロゾル噴流あるいはエアロゾル霧化流を形成することことを特徴とする請求項１記載の方法。
【請求項３】
最終混合段の混合流が、混合流として噴霧するために、噴霧装置まで案内され、この際噴霧装置を用いてエアロゾル噴流あるいはエアロゾル霧化流が噴霧されることを特徴とする請求項１記載の方法。
【請求項４】
混合段の少なくとも一つにおいて、圧縮空気流が空気流として使用されることを特徴とする請求項１〜３のいずれか一つに記載の方法。
【請求項５】
混合段の少なくとも一つにおいて、吸入空気流が空気流として使用される
ことを特徴とする請求項１〜４のいずれか一つに記載の方法。
【請求項６】
処理剤が第一混合段で連続的に、流動調節可能に、あるいは同期して第一混合段の空気流内に投入されることを特徴とする請求項１〜５のいずれか一つに記載の方法。
【請求項７】
液体あるいは固体の処理剤が、植物保護剤、植物育成剤、有害生物駆除剤、消毒剤、肥料および／または他の任意の作用物質であり、前記処理剤が少なくとも一つの作用物質をこのために含んでいる、処理剤を空気と混合し、かつ空気処理剤混合物を噴霧するための装置において、
処理剤源（６）からの処理剤（４）を空気流と自動的に混合するための第一混合段（２；２０２；４０２）を備えており、
従って空気流の空気と混合された処理剤を含む混合流が、各々新しい混合流を生成することにより、その都度、各々先行する混合段の混合流を別の混合流と混合するための、少なくとも一つの別の混合段（１２；２１２；３０２；３１２；５１２）あるいは相前後した複数の別の混合段を備えており、
この際混合段が全て、関係する混合流のための液体導管（３４；２２３；３３４；４５５；２１３）を経由して互いに接続していること、そして
最後の混合段において、エアロゾル噴流あるいはエアロゾル霧化流を補うために、噴霧装置（２２４）が流れに従って接続されているか、あるいは最後の混合段が噴霧装置（２４）として設けられていることを特徴とする請求項記載の装置。
【請求項８】
混合段（１２；２０２；２１２；３０２；３１２；４１２）が、この混合段の空気流としての圧縮空気流を形成するための圧縮空気源（３０）の圧縮空気のための圧縮空気入口（２６；２１５）を備えていることを特徴とする請求項７記載の装置。
【請求項９】
混合段（２）の少なくとも一つが、この混合段の空気流としての吸入空気流のための吸入空気導管（３４；３３４；４５５）を備えていること、および
この混合段（２）に後続して設けられた混合段（３０２；４１２）の一つが、インジェクタ（２４１）を備えており、このインジェクタがこの混合段の空気流としての圧縮空気源（３０）からの圧縮空気流のための圧縮空気入口（２１５）と、吸入空気導管の流れ上流側端部を形成するかあるいはそれと流れに従い接続している、吸入開口部（２１７）を備えており、
その際、圧縮空気入口（２１５）と吸入開口部（２１７）が、インジェクタの負圧領域（２２１）内に開口し、この負圧領域内で圧縮空気−空気流により負圧が生じる
ことを特徴とする請求項７または８に記載の装置。
【請求項１０】
最終混合段（１２）が噴霧装置（２４）として形成されており、かつこのために二つの別の空気流のための互いに同軸な二つの空気流ノズル開口部（１８，２０）を備えており、この場合、これらの空気流ノズル開口部が、これらの空気流ノズル開口部から流出する両空気噴流（１４，２６）を、互いの間で両開口部により区画された負圧領域（２２）内で負圧を形成するようにほぼ並んで設けられていること、及び
最後から２番目の混合段（２）の液体導管（３４）が、互いに同軸な空気流ノズル開口部（１８，２０）間の混合流ノズル開口部（３２）を通って負圧領域（２２）内に開口しており、この場合、最後から２番目の混合段（２）の混合流（１０）が負圧領域（２２）内に案内され、そこから両空気噴流（１４，１６）により収容され、これらと協働して、エアロゾル噴流あるいはエアロゾル霧化流の様式の新たな混合流（４０）を形成することを特徴とする請求項７〜９のいずれか一つに記載の装置。
【請求項１１】
特に有害生物駆除、植物保護、消毒および施肥のために、液体拡散あるいは粉末状物質を用いてエアロゾルを速やかに生成するための方法において、
ノズルにより、十分な作用物質濃度が、浮遊持続時間の長い液体の無いエアロゾルになるまでの様々な液体割合を備えた安定したエアロゾルの様式で、所定の面積にわたり短時間で生じることを特徴とする方法。
【請求項１２】
所定の時間単位Ｔ１内で、十分な作用物質濃度が、浮遊持続時間の長い、液体を含まないエアロゾルになるまでの極めて様々な液体割合を備えたエアロゾルの様式で作用物質を供給することにより生じ、この作用物質濃度が作用物質の分解が始まるまでほぼ一定に維持されることを特徴とする請求項１記載の方法。
【請求項１３】
所定の時間単位Ｔ１内だけで、十分な作用物質濃度が、浮遊持続時間の長い、液体を含まないエアロゾルになるまでの極めて様々な液体割合を備えたエアロゾルの様式で作用物質を供給することにより生じ、引き続き作用物質の供給が調節され、作用物質の分解開始Ｔ２までのこの作用物質濃度が、極めて精確なエアロゾルあるいは霧の発生によってのみほぼ一定に維持されることを特徴とする請求項１記載の方法。
【請求項１４】
特に有害生物駆除、植物保護、消毒および施肥のために、エアロゾルを速やかに生成するための方法において、
カラー（６０２）を備えた中空円筒形の形式の内側空気同軸ノズル（６０１）が、外周部のエアロゾル媒質に関するカラー（６０４）と流入開口部（６０５）を備えたエアロゾル同軸ノズル（６０３）を担持しており、他方また、この内側空気同軸ノズルが外周部の空気入口（６０７）を備えた外側空気同軸ノズル（６０６）を担持しており、この場合、ノズル（６０１，６０３及び６０６）がすべて、出口平面Ａで終わることを特徴とする同軸ノズル。
【請求項１５】
外側空気同軸ノズル（６０６）に、移動可能あるいはネジ回し可能で、かつ交換可能なスリーブ（６０９）が設けられており、このスリーブが例えば広がっているか、あるいは狭まっている円錐状体の様式、あるいは中空円筒体としてのように個別に様々な口径を有することを特徴とする請求項１４記載の装置。
【請求項１６】
スリーブ（６０９）が、出口平面（Ａ）の前において、間隔維持が適切な同軸ノズルに対して間隔をおいた状態で、出口平面Ａとスリーブ（６０９）の間の間隙が存在し、この間隙がその大きさを変更可能であるように設けられていることを特徴とする請求項１４または１５に記載の方法。
【請求項１７】
内側空気同軸ノズル（６０１）が、出口平面Ａの相対する端部では空気入口（６０８）を有し、流入開口部（６０５）の正面ではインジェクタノズル（６１３）を有し、内部空間では例えばネジ様式で設けられた空気案内部あるいは材料膨出部のような、空気回転あるいは渦流を生じさせるための手段を有することを特徴とする請求項１４〜１６のいずれか一つに記載の同軸ノズル。
【請求項１８】
内側空気同軸ノズル（６０１）が、内径が出口平面Ａの方向で何度か先細りになっており、かつ出口平面Ａの領域において広がっていることを特徴とする請求項１４〜１７のいずれか一つに記載の同軸ノズル。
【請求項１９】
エアロゾル同軸ノズル（６０３）が流入開口部（６０５）のすぐ後方で内径が先細りになっており、次いで内径を出口平面の直前まで維持し、次いで間隙内に移行していることを特徴とする請求項１４〜１８のいずれか一つに記載の同軸ノズル。
【請求項２０】
外側空気同軸ノズル（６０６）の内径は、出口平面Ａにおけるエアロゾル同軸ノズル（６０３）と外側空気同軸ノズル（６０６）の間の空気出口リング（６１１）上まで一定であり、かつ内部空間では、例えばネジ式に設けられた空気案内部、材料膨出部あるいは螺旋状に設けられた管体のような、空気回転あるいは渦流を生じさせるための手段を有し、空気入口（６０７）が入射ノズル（６１２）と放射状に構成されていることを特徴とする請求項１４〜１９のいずれか一つに記載の同軸ノズル。
【請求項２１】
内側空気同軸ノズル（６０１）とエアロゾル同軸ノズル（６０３）が、共通の空気エアロゾル同軸ノズル（６１０）に統合されており、エアロゾル媒質のための流入開口部（６０５）が外周部にあり、空気入口（６０８）がノズル出口の相対する端部にあることを特徴とする請求項１４記載の同軸ノズル。
【請求項２２】
空気エアロゾル同軸ノズル（６１０）が、外周部のノズル出口の方向で円錐形状に先細りになっていて、外側空気同軸ノズル（６０６）がこの形状に適合しており、この場合、空気エアロゾル同軸ノズル（６１０）の外壁と外側空気同軸ノズル（６０６）内壁の間の間隔が、空気出口間隙（６１１）上までノズル長全体にわたりほぼ一定である
ことを特徴とする請求項２１記載の同軸ノズル。
【請求項２３】
空気エアロゾル同軸ノズル（６１０）において、および／または外側空気同軸ノズル（６０６）において、例えばネジ式に設けられた積層板、材料膨出部、あるいは螺旋状に設けられた管体のような、空気回転あるいは渦流を生じさせるための手段が配置されていることを特徴とする請求項２１および２２に記載の同軸ノズル。
【請求項２４】
出口平面Ａにおけるノズル開口部が円形の孔列から構成されていることを特徴とする請求項１４〜２３のいずれか一つに記載の同軸ノズル。
【請求項２５】
ノズル開口部の数が三つよりも多く、媒質出口がノズル開口部毎にばらならに構成されており、ノズル開口部が各々、固有の圧力と流れにより使用されており、この場合、最後の外側ノズル開口部には、０．８バール未満の圧力がかかってもよく、ノズル開口部が様々な出口平面にあることを特徴とする請求項１４〜２４のいずれか一つに記載の同軸ノズル。
【請求項２６】
特に請求項１４〜２５にいずれか一つに記載の実施形態に従った、有害生物駆除、植物保護、消毒および施肥のために、エアロゾルを速やかに発生させるための長方形ノズルあるいは多角形ノズルにおいて、
個々のノズル開口部が、出口平面Ａにおいて、長方形あるいは多角形を形成していることを特徴とする長方形ノズルまたは多角形ノズル。
【請求項２７】
特に有害生物駆除、植物保護、消毒および施肥のために、エアロゾルを速やかに発生させるための扁平間隙ノズルにおいて、
水平に配置された圧縮空気（１０２）のための間隙開口部が、水平に配置されたエアロゾル媒質（１０１）のための間隙開口部の上方でノズル体（１０３）の内側に配置されており、この場合、上側（１０４）と下側（１０５）が、両間隙開口部（１０１および１０２）の間のウェブの上方に突出していることを特徴とする扁平間隙ノズル。
【請求項２８】
上側（１０４）あるいは全ての側がスライダ１０４として形成されているか、あるいは全ての側がその外側面においてスライダ（１０４）と固定されたパネル（１０６）を有していることを特徴とする請求項２７記載の扁平間隙ノズル。
【請求項２９】
上側（１０４）と下側（１０５）の間に、圧縮空気（１０２）のための複数の間隙開口部とエアロゾル媒質（１０１）のための複数の間隙開口部が、各々入れ代わりに設けられていることを特徴とする請求項２７あるいは２８に記載の扁平間隙ノズル。
【請求項３０】
間隙開口部（１０１，１０２）の正面に、扁平でかつ長方形のノズル調節装置（１０７）が設けられており、このノズル調節装置が側方で外側に向かって拡張しており、従ってその都度拡張された間隙開口部（１０８）を形成していることを特徴とする請求項２７〜２９のいずれか一つに記載の扁平間隙ノズル。
【請求項３１】
請求項１４〜２５のいずれか一つに記載の同軸ノズルと、請求項２６に記載の長方形ノズルあるいは多角形ノズルと、請求項２７〜３０のいずれか一つに記載の扁平間隙ノズルにおいて、
同軸ノズルあるいは多角形ノズル、または間隙開口部の出口形状が、出口平面Ａにおいて、内側に向いた流線案内部、一様に先細りになった流線案内部、一様にまたは一様にではなく丸みを付された出口縁部、内側に向いた流線案内部、外側に一様に開口した流線案内部、ノズル縦方向軸線に対してずれている平行な出口平面、片側だけの案内部、および互いに異なる角度のような様々な形状を有していることを特徴とする同軸ノズル。
【発明の詳細な説明】
【技術分野】
【０００１】
本発明は、処理剤が植物保護剤、植物育成剤、有害生物駆除剤、消毒剤、肥料および／または例えば液体分散物あるいは粉末状物質としての、霧状化してまかねばならない、臭気結合（Geruchsbindung）あるいは静電気防止処理のための香料のような他の任意の作用物質であり、前記処理剤が少なくとも一つの作用物質を含んでいる、処理剤を空気あるいは他のガスあるいはガス混合物と混合し、かつ空気処理剤混合物を噴霧するための方法と、浮遊持続時間の長い、液体が遊離したエアロゾルになるまでの極めて様々な液体割合により、極めて安定したエアロゾルを速やかに生成するための方法と、この方法を実施するための装置、および所属する同軸ノズル、多角形ノズルあるいは扁平間隙ノズルの形式のノズルに関する。しかしながら、本発明は作用物質を使用せずに湿潤させるのにも適している。
【背景技術】
【０００２】
特許文献１からは、大面積の温室内で急冷霧化を行うための装置が知られている。ノズルは植物保護剤を噴霧するための中央開口部を備えており、この植物保護剤はポンプを通って中央開口部に供給される。中央開口部の周囲では、同軸ノズルから流出している圧縮空気を渦流化させるための積層板を備えた同軸ノズルが延びている。この中から生じる霧は、ノズルの渦中側に設けられた温室内の送風機により分配される。
【０００３】
特許文献２からは、急速冷間霧吹きを行うためのノズルヘッドが知られており、このノズルヘッドは、ポンプから搬送される植物保護剤を送り出すための内側同軸ノズルを備えている。内側同軸ノズルは圧縮空気のための中央ノズル開口部を取囲んでおり、かつ圧縮空気のための外側同軸ノズルにより取囲まれている。これにより内側同軸ノズルから流出する植物保護剤は内側圧縮空気流と外側圧縮空気流の間で半径方向に存在している。植物保護剤は圧縮空気流により霧化される。
【０００４】
ノズルヘッドにより霧化された水と作用物質から成る混合物は、ノズルヘッドのすぐ後方ではエアロゾル噴流の形を有しており、このエアロゾル噴流はノズルヘッドからの距離が増大することにより、空気とますます多く混合し、かつノズルヘッドからさらに離れた状態では霧に変わる。霧は処理されるべき植物に付着する。
【０００５】
さらに実践経験から、ノズルヘッドにより霧化噴霧されたエアロゾル噴流は、送風機により温室の室内に分配することが知られている。ノズルヘッドと送風機は、大きな温室を霧化して噴霧する場合は自動車上にあり、この自動車は噴霧と霧化噴霧の間は温室中を移動する。特許文献２によるノズルヘッドで霧化噴霧する場合、処理剤は約１００：１の比率の水と作用物質から成る浸液（Bruhe）である。処理されるべき温室面積に対して平均１１：１の浸液の量が必要である。しかしながら、さらに故意であると、実質的にそれ以上に処理剤が霧化噴霧される。
【０００６】
したがって小さい温室においても、そして大きな温室においても、極めて短時間で、温室全体が一定に経過時間の間霧で完全に満たされる程度に、多量の霧が生成し、かつ１００％温室内に分配される。
【０００７】
霧化噴霧とは異なり、霧化噴霧用の処理剤を噴霧あるいは吹付ける場合１０００：１の比率の水と作用物質が使用される。これから約１００：１が必要とされる。
【０００８】
霧の中の水分が高い場合、植物には滴が生成し、この植物は作用物質により関係する植物に場所が燃焼する恐れがある。
【特許文献１】独国特許第１９９２２４３５号明細書
【特許文献２】独国特許第１００３３２７４号明細書
【発明の開示】
【発明が解決しようとする課題】
【０００９】
本発明の課題は、処理剤の作用物質を希釈するのに必要な液体量を最小にできる可能性を提供し、
さらに浮遊持続時間の長い、液体が遊離したエアロゾルになるまでの極めて様々な液体割合により、極めて安定したエアロゾルを速やかに生成するための方法、及び
様々なエアロゾル媒質を浮遊持続時間の長い、ほぼ同じ大きさで細かいエアロゾル粒子の、粉末状または液状に配分することができる、特に害虫駆除、植物保護、消毒および施肥を行うための方法を実施するための装置と所属するノズルを提供することにある。
【課題を解決するための手段】
【００１０】
この課題は、本発明によれば独立請求項の特徴により解決される。
【００１１】
それに応じて、本発明は、処理剤が植物保護剤、植物育成剤、有害生物駆除剤、消毒剤、肥料および／または霧状化してまかねばならない、臭気結合あるいは静電気防止処理のための例えば香料のような他の任意の作用物質であり、前記処理剤が少なくとも一つの作用物質をこのために含んでいる、処理剤を空気あるいは他のガスあるいはガス混合物と混合し、かつ空気処理剤混合物あるいはガス処理剤混合物を噴霧するための方法に関しており、
処理剤が第一混合段において、空気流あるいはガス流内に装入され、その中で流れ横方向に分配されること、
そこから形成される第一混合流が液体導管を通って少なくとも一つの、あるいは相前後した複数の別の混合段に供給されること、
この別の混合段かあるいはこれらの別の混合段において、各々関係する混合流が別の空気流あるいはガス流内に装入され、かつこの中で流れ横方向に、各々新しい混合流を形成することにより分配されること、そして
最後の混合流がエアロゾルの形で使用領域内かあるいは使用領域上に噴霧されることを特徴とする。
【００１２】
さらに本発明は、様々なエアロゾル媒質が浮遊持続時間の長い、ほぼ同じ大きさで細かいエアロゾル粒子の、粉末状または液状に分配される、浮遊持続時間の長い、液体が遊離したエアロゾルになるまでの極めて様々な液体割合により、極めて安定したエアロゾルを速やかに生成するための方法に関する。さらに本方法により、気候的に面倒で、かつ霧の生成にほとんど適していない条件化で、霧の生成が可能になる。
【００１３】
処理剤が、植物保護剤、植物育成剤、有害生物駆除剤、消毒剤および／または霧状化してまかねばならない、例えば臭気結合兼静電気防止処理のためのような他の任意の作用物質であり、前記処理剤が少なくとも一つの作用物質をこのために含んでいる、エアロゾルを生成し、処理剤を空気と混合し、空気処理剤混合物を噴霧するための、これに所属するノズルを備えた装置に関し、処理剤源からの処理剤を空気流と自動的に混合するための第一混合段を備えており、従って空気流の空気と混合された処理剤を含む混合流が、各々新しい混合流を生成することにより、その都度、各々先行する混合段の混合流を別の混合流と混合するための、少なくとも一つの別の混合段あるいは相前後した複数の別の混合段を備えており、この際混合段が全て、関係する混合流のための液体導管を経由して互いに接続していること、そして
最後の混合段において、噴霧装置が流れに従って接続されているか、あるいは最後の混合段が噴霧装置として設けられていることを特徴とする。
【００１４】
独立した特許請求の範囲による本発明の長所：本発明により、植物処理剤の少なくとも２回の希釈は水の代わりに空気で行われる。これにより大きな温室と広い露天栽培地面は、これまでよりも短時間で処理剤を用いて処理することができる。この場合、水は処理剤液の生成に全く必要とされないか、あるいは公知の方法の場合に使用される水量のほんのわずかな割合だけが処理剤液の生成に必要とされる。本発明の特定の使用事例にとって、植物処理剤を噴霧するための加圧水を使用することも可能であり、この場合、この加圧水量は実質的に従来技術の場合よりも少ない。植物処理剤は一つ以上の作用物質と水、ならびに添加剤の混合物であってもよいが、この際従来技術に比べてはるかに僅かな水で十分である。本発明の別の長所は、空気の一部を用いて植物あるいは植物の一部を動かすために、例えば枝あるいは葉をたたむかあるいは立てるために、植物処理剤のエアロゾル噴流を植物に向けることができることにある。したがって、エアロゾル噴流は関係する植物部分の下側あるいは後側にも達する。水の含有量がわずかであるか、あるいは水が全体的に不足していることにより、これに関しては、関係する植物部分に滴が生成し、その作用物質濃度が関係する植物部分を焼くという危険はない。本発明により水は空気で代替えされるので、エアロゾル噴流あるいはエアロゾル霧は、全く水を含まないか、あるいは従来技術に比べて実質的にわずかに水を含んでいる浮遊持続時間の長い速やかな作用物質濃度が達せられ、従って作用物質が実際に作用するか、あるいは所望の効果が生じるという基盤が作られる。わずかな希釈によりエアロゾル媒質の作用物質濃度は高くなり、これによりエアロゾルの作用物質濃度は高くなる。それによって、本発明は、例えば病院、住宅及びオフィス内で、その中で湿気が生じることなく、茸類、寄生虫類、マウス類、ネズミ類等に抗して、特に室内で速やかに消毒および害虫駆除を行うためのような、十分新しい目的のために使用することができる。湿度は家財道具類、ベッド類及び家具類だけでなく、バクテリア類及び茸類の培地にも影響を与える。このようなものは、本発明により、バクテリア類あるいは茸類のための湿度培地を形成することなく、短時間で効果的に処分することができる。従って本発明により噴霧可能であるか、あるいは霧状化してまくことが可能な処理剤は、特に植物保護剤（昆虫類、動物類、茸類等に抗する）、植物育成剤（例えば成長促進剤、成長抑制剤、強壮剤等）、有害生物駆除剤（例えば、温室、オープンエアグラウンド、病院、ホテル、住宅等内の昆虫、あるいは他の動物、茸等に抗する）、あるいは消毒剤（例えば、温室、オープンエアグラウンド、病院、ホテル、住宅等内のバクテリア類および茸類）、臭気結合兼静電気防止処理剤、あるいは精油または塩である。処理剤は液状でも、粉末状でも、塵埃状であってもよい。処理剤は関係する使用目的のための少なくとも一つの作用物質から成るか、あるいは関係する使用目的のための少なくとも一つの作用物を含んでいる。
【００１５】
ノズルはきわめて細かい霧を生成する以外に、大量に沈殿する物質を霧状化するのに適している。エアロゾルの横断面が大きいことにより、流量を大きくすることができる。したがって、使用時に特定の時間、実質的に大きな流量でもって機能することができる。洗浄媒質として、霧状化されるべき媒質、あるいは洗浄液、あるいは洗浄ガスの何れかを使用することができる。この洗浄媒質は吸入されるか、あるいは圧力により装置内に加えられてもよい。したがって、洗浄は所望される装置の領域全体で達せられる。したがって、供給部とノズルの洗浄は、それ自体、各々を機械的に分解せずに極めて容易に行うことができる。
【００１６】
本発明の他の特徴は、従属請求項に含まれている。
【発明を実施するための最良の形態】
【００１７】
本発明を以下に図に関して、例としての好ましい実施形態を基にして説明する。
【実施例】
【００１８】
図１に示した処理剤（殺虫剤、殺菌剤のような植物保護剤、植物育成剤、有害生物駆除剤、消毒剤および／または例えば臭気結合、静電気防止処理のためのような他の任意の作用物質）を噴霧するための装置は、処理剤源６からの処理剤４を外気からの空気流８と自動的に混合するための第一混合段２を備えており、したがって混合流１０が生じ、この混合流は空気流８の空気と混合した処理剤４を含んでいる。処理剤源６は攪拌装置を備えていてもよい。第一混合段２の混合流１０を一つのあるいは図１による二つの空気流１４及び１６と混合するための第二混合段は、噴霧装置として形成されており、かつこのために互いに同軸な二つの空気流ノズル開口部１８及び２０をノズルヘッド２４内に備えている。半径方向で内側の空気流ノズル開口部２０は同軸開口部かあるいは図１に相当している全開ノズル開口部であってもよく、このノズル開口部を通って、半径方向で内側かつ同軸の空気流１６が流出する。半径方向で外側の空気流ノズル開口部１８は同軸ノズルであり、この同心円ノズルから、半径方向で外側の空気流が断面が環状の空気流として流出する。
【００１９】
従って、空気流ノズル開口部１８及び２０は両方とも、両開口部から流出する空気流１４及び１６が、互いの間で、両空気流ノズル開口部１８及び２０の上流側の外側の両開口部により区画された負圧領域２２内で負圧を形成するように、近くで並んで設けられており、かつほぼ同じ方向に向いている。両方の互いに同軸の空気流ノズル開口部１８及び２０は、圧縮空気導管を経由して、好ましくは例えば圧力レギュレータ２８のような圧力調節部材の中間接続の下で圧縮空気源３０と接続している。圧力源３０は圧縮機、および／または圧縮空気容器あるいはガス圧貯蔵庫であるのが好ましい。これにより両方の互いに同軸の空気流１４及び１６は各々圧縮空気ジェットである。
ノズルヘッド２４は互いに同軸な空気流ノズル開口部１８と２０の間に横断面が円形の同心円ノズルの様式の混合流ノズル開口部３２を備えており、この混合流ノズル開口部は負圧領域内に合流している。混合流ノズル開口部３２は液体導管３４を経由して第一混合段２と流れにしたがって接続している。互いに同軸な空気流１４と１６により負圧領域２２内で生じる負圧は、第一混合段２において、外気からの空気流８と処理剤４を混合流１０として一緒に、液体導管３４の上流側の液体導管３４の入口端部３６内に、次いでこの液体導管３４の中を通り、そして混合流ノズル開口部３２を通って負圧領域２２内へと吸引する。混合流１０は空気流１４及び１６により負圧領域２２内を通って吸引され、かつ帯行され、従って混合流１０と、空気流１４及び１６は、一緒にエアロゾル噴流４０あるいはエアロゾル霧化流を形成し、このエアロゾル噴流はノズルヘッド２４から放出され、植物に直接噴霧可能であるか、あるいは分配することにより広い領域に噴霧器でまくことができる。エアロゾル噴流４０は送風機４２を用いて、広い領域に、例えば温室、倉庫などの室内全体に、あるいは露天栽培地面に分配されるので、エアロゾル噴流４０から生じる、このような処理剤霧を分配することは、送風機４２により支援することができる。
【００２０】
本発明による実施形態は全て、送風機４２を使用してか、あるいは使用せずに、このようにして利用することができる。液体導管３４の上流側の液体導管３４の入口端部３６内に処理剤４を供給するために、様々な可能性がある。これらの可能性の一つは図１を示している。図１の実施形態の場合、処理剤源６は噴霧器４８を通ってリザーブタンク４６から処理剤４を搬送するためのポンプ４４を備えており、前記噴霧器は処理剤４を上流側の液体導管３４の入口端部３６内に噴霧する。噴霧器４８は噴霧ノズルあるいは回転噴霧器であってもよい。流量（噴霧される処理剤の量）は、例えば弁または回転噴霧器の手段、あるいはポンプにより調節可能であり、かつ制御可能である。
【００２１】
第一混合段３の混合流１０は、処理剤４が噴霧器４８から高いエネルギーでもって放出され、それにより外気空気流８を形成しかつ吸入する処理剤噴流が生じることにより液体導管３４を通って流され、および／または前述の方法で負圧領域２２内の負圧により吸入することにより流される。
【００２２】
噴霧器４８と上流側の液体導管３４の入口端部３６は、中間容器５０内に配設されており、この中間容器は外雰囲気からの空気流８のための入口開口部５２を備えている。
【００２３】
図３に示すように、図１の処理剤源６の代わりに、処理剤源６−２を使用してもよく、この処理剤源は耐圧縮性のリザーブタンク４６−２と圧力源３０を備えている。これらの圧送側は圧力導管５４を介して、及び好ましくは圧力調節部材、更に好ましくは圧力レギュレータ５６を介して圧縮空気入口５８と接続しており、この圧縮空気入口は、その中に処理剤４が噴霧器４８に対して押圧可能である圧縮空気クッション部を形成するために、処理剤の高さ６０の上方で容器室６２内に合流している。ノズルヘッド２４は、特許文献１及び特許文献２から知られたノズルヘッドのように、あるいはこれらの文献に記載されているように、同一にあるいは同じように形成されていてもよい。
【００２４】
図４に示した本発明の実施形態の場合、圧縮空気源３０は、好ましくは例えば圧力レギュレータ２０５のような圧力調節部材を備えている第一圧縮空気導管２０３を経由して第一混合段２０２と流れに従い接続しており、かつ好ましくは例えば圧力レギュレータ２０９のような圧力調節部材を備えている第二圧縮空気導管２０７を経由して第二混合段２１２と流れに従い接続している。第二混合段２１２は混合流導管２１３を経由して、噴霧装置２２４、すなわちエアロゾル塗布器、例えば処理剤空気流スプレー噴流２４０を噴霧するか、あるいは噴霧するための噴霧ノズルと接続している。
【００２５】
第一混合段２０２はインジェクタ２４１を備えており、このインジェクタは搬送液体入口２１５、吸入開口部２１７及び混合流出口２１９を有しており、これらは負圧領域２２１を規定する負圧室内で交差している。搬送液体入口２１５は混合流出口２１９に軸方向で対向している。上流側の圧縮流導管２０３の端部は、搬送液体入口２１５に接続している。この圧縮流導管２０３の圧縮空気−空気流により負圧領域で負圧が発生し、この負圧により圧縮空気−空気流は処理剤を吸入開口部２１７において吸入し、かつ混合流出口２１９とそこに接続している混合流導管２２３とを経由して第二混合段２１２に供給し、そこで混合流は第二圧縮流導管２０７の圧縮空気−空気流と混合し、次いで新しい混合流２７０として噴霧装置２４０まで流れ、かつエアロゾル噴流２４０あるいはエアロゾル霧化流として噴霧装置２２４から放出される。
【００２６】
処理剤４は負圧領域２２１に吸入開口部２１７を経由して様々な方法で供給することができる。その可能な方法の一つは、処理剤を負圧領域２２１内の負圧を用いてリザーブタンク２４６から連続的に調節可能にあるいは通過調節可能に吸入することにある。別の可能な方法は、リザーブタンク２４６が同期装置を備えることにあり、この同期装置はリザーブタンク２４６の出口開口部を単に同期して開閉し、したがって負圧領域２２１の負圧は処理剤を単に同期してだけ吸入することができるにすぎない。
【００２７】
図５は図４の実施形態に似た実施形態を示しているが、この場合、リザーブタンク２４６の代わりに、図１の処理剤源６と図１の第一混合段２が設けられているが設けられている。図１の第一混合段２は、図５では吸入管３３４を介してインジェクタ２４１の吸入開口部２１７と上流側で接続している。これにより、図５では、インジェクタ２４１は第一混合段２０２の代わりに第二混合段３０２を形成し、図４の第二混合段２１２は図５では第三混合段３１２を形成している。
【００２８】
本発明の実施形態の場合はすべて、同じ部材は同じ参照符号を備えている。
【００２９】
同様に図４の第二混合段２１２と図５の第三混合段３１２は、各々図６に示すように、インジェクタ２４１と同じようなインジェクタにより形成されている。図４，５および６によるこれらの実施形態の場合、第二圧縮流導管２０７の圧縮空気流は接続導管の混合流よりも高い圧力を有しており、従って第二圧縮空気−空気流は混合流を吸入し、かつ帯行することができる。
図７に記載の変形によれば、図４の混合段２１２および／または図５の混合段３１２は、混合ヘッド２８０により形成されていてもよく、この混合ヘッド内で第二圧力導管２０７の圧縮空気−空気流と接続導管２２３の混合流は一緒にされる。この際、一方の流れあるいは他方の流れは、その都度他方の流れを一緒に運び去りかつ噴霧装置２２４へエアロゾル塗布器を搬送するために、高い流れエネルギーを有することができる。
【００３０】
本発明による図８の別の実施形態の場合、処理剤源６の噴霧器４８は処理剤４を中間容器４５０内へ噴霧る。インジェクタ２４１は中間容器４５０から処理剤４を吸入し、かつ容器空気入口開口部４５３を通して周囲空気空気流８を負圧を用いて負圧領域内へ吸入する。この負圧は圧縮空気導管４０３の圧縮空気−空気流４８２により発生する。圧縮空気導管４０３は、圧力調節部材、例えば圧力レギュレータ２０５を備えており、かつ圧縮空気源３０に流れに従って接続しているのが好ましい。負圧領域２２１は、吸入開口部２１７と中間容器４５０内に形成された容器出口開口部４５５を通って、中間容器４５０の内室と流れが接続している。インジェクタ２４１の混合流出口２１９は混合流導管２１３を経由して混合流４７０を噴霧するための噴霧装置２２４と流れに従い接続している。噴霧装置２２４、好ましくは噴霧ノズルにより噴霧されるエアロゾル噴流２４０あるいは噴霧されるエアロゾル霧化流は、周囲空気８と圧縮空気４８２並びに処理剤４を含んでいる。中間容器４５０は容器空気入口開口部４５３および容器出口開口部４５５と協働して、第一処理剤空気混合段４０２を形成する。インジェクタ２４１は第二混合段４１２を形成し、この第二混合段において、周囲空気８と処理剤４から成る第一混合流４１０は圧縮空気源３０の圧縮空気４８２と混合して第二混合流２７０を形成する。処理剤４は中間容器４５０内において、噴流あるいは雲または霧の状態である。
【００３１】
図９は本発明の一実施形態を示し、この実施形態は図５及び７の実施形態の組合せであり、この場合第三混合段３１２は導管２１３あるいは管路により第四混合段５１２に後続しており、この第三混合段の混合流出口２１９には混合流導管５１３を経由して噴霧装置２２４が接続している。第四混合段５１２は例えば再度、インジェクタ２４１を備えており、このインジェクタの液体搬送入口２１５は先行する第三混合段３１２の混合流出口２１９と流れに従って接続している。第四混合段５１２のインジェクタ２４１の負圧領域２２１の吸入開口部２１７は、その中から外部空気空気流５０８を吸入し、かつ先行する第三混合段３１２から供給される混合流２７０と混合して、新しい混合流５７０を形成するために、外部雰囲気と流れ的に接続している。この新しい混合流は噴霧装置２２４からエアロゾル噴流２４０あるいはエアロゾル霧化流の様式で噴霧される。図９において、エアロゾル噴流２４０は植物５９０に整向されている。図９で、図５及び図６の部材と同一の部材は同じ参照符号を備えている。
一定のエアロゾルを速やかに製造するための本発明による方法は、本発明によるノズルと装置により、ノズルを用いて、植物保護、消毒あるいは肥料のための、害虫撲滅にとって十分な作用物質濃度が、エアロゾルの作用物質の分解が始まる前に、液状、塵埃状あるいは粉末状の、浮遊持続時間の長い安定したエアロゾルの様式で、所定の面積にわたり生じることにより可能になる。この場合、所定の時間単位Ｔ１内で一度、十分な作用物質濃度はエアロゾルの様式の作用物質を散布することにより生じ、さらにエアロゾルが時点Ｔ２まで生じることにより、あるいは所定の時間単位Ｔ１内だけで、十分な作用物質濃度がエアロゾルの様式の作用物質を散布することにより生じ、次いで作用物質の散布が調節され、作用物質分解の開始Ｔ２までのこの作用物質濃度が精確なエアロゾルの発生によってのみ、ほぼ一定に維持されることにより、作用物質分解の開始Ｔ２までのこの作用物質濃度は、ほぼ一定に維持することができる。図１８に示した特性曲線に基づき、従来の方法Ｋ２による、及び本発明による方法Ｋ１の方法の相違点は、きわめてはっきりと見分けがつく。従来の方法では、本発明によるように短時間で極めて高い作用物質濃度には達しない。方法の変形は全て、０．８バールから１０バールの圧力値の圧縮空気でもって機能するのが好ましく、この場合同軸ノズルの圧縮空気は個別の空気同軸ノズル６０１を介してエアロゾル同軸ノズル６０３の隣で流出する。その圧力値は特殊な使用事例では下回るかあるいは超過することがある。空気同軸ノズル６０１、エアロゾル同軸ノズル６０３及び空気同軸ノズル６０６、エアロゾル同軸ノズル６０３、空気同軸ノズル６０６等の順序の場合、最後の外側のノズルは、０．８バール未満の圧縮空気値でも機能することができる。
【００３２】
浮遊持続時間の長い極めて十分なエアロゾルを発生させるために、二つの異なるノズルを提案する。一方の同軸ノズルと他方の扁平間隙ノズルは各々異なる構造変形である。
【００３３】
内側空気同軸ノズル６０１、その周囲にあるエアロゾル同軸ノズル６０３及びさらにエアロゾル同軸ノズル６０３の周囲にある外側空気同軸ノズル６０６から成る、完全な同軸ノズルの構造は、以下の詳細な説明を特徴とする。内側空気同軸ノズル６０１はカラー６０２を備えた中空シリンダを有する。カラー６０２は、圧縮空気のための空気流入部６０８の側にある。内側空気同軸ノズル６０１の内径は、カラー６０２を基準にすれば少なくとも倍は先細りになっている。別の実施形態の場合、先細りはあるかあるいは全く無い。出口平面Ａの直前で、内径は再度広がっている。この端部の広がりは、同時にエアロゾル同軸ノズル６０３のエアロゾル媒質に関するリング状の出口間隙のための間隙形態を形成する。間隙開口は実施例では約１ｍｍであるが、実質的には大きく選択しても小さく選択してもよい。これは特に噴霧すべきエアロゾル媒質に基づきノズル間隙の詰まりを見込まねばならない場合である。
【００３４】
エアロゾル同軸ノズル６０３は、内側空気同軸ノズル６０１のカラー６０２と続く隔壁の厚い、中空円筒形部分で保持される。エアロゾル同軸ノズル６０３は、その後方領域では、内側空気同軸ノズル６０１の主要部の端部においてエアロゾル媒質のための流入開口部６０５を有する。流入開口部６０５の後、エアロゾル同軸ノズル６０３の内径は先細りになっている。エアロゾル同軸ノズル６０３は、出口平面Ａまでこの内径を維持している。しかしながら、この点において誤差があってもかまわない。すでに先に示したように、エアロゾル同軸ノズル６０３の間隙状の開口部は内側空気同軸ノズル６０１の形により形成される。エアロゾル同軸ノズル６０３の一部を介して、中空円筒形の外側空気同軸ノズル６０６が位置しており、この外側空気同軸ノズルはエアロゾル同軸ノズル６０３のカラー６０４により保持される。外側空気同軸ノズル６０６の内径は、出口平面Ａの領域まで変わらない。まずここで、外壁はエアロゾル同軸ノズル６０３の方向に曲がっており、かつそれにより環状のノズル開口部を形成している。外側空気同軸ノズル６０６の外周部に沿って、出口平面Ａの近くにはネジ山が設けられており、このネジ山はスリーブ６０９を担持している。外周部の他方の端部には、空気流入部６０７が設けられている。このスリーブ６０９は交換可能であり、かつネジ山により位置調節可能であるか、あるいは交換可能である。スリーブ６０９は、例えば広がっているか、あるいは狭まっている円錐形の形式の、あるいは直線の中空円筒体としての、様々な大きさを有していてもよい。大きさが様々であることにより、エアロゾル形成の際に、集中された噴流、渦流などの様々な効果が得られる。さらにスリーブ６０９は、適切な支持により出口平面Ａと間隔をおいて位置されている。この場合、スリーブ６０９と出口平面Ａの間には間隙がある。この処置によっても、エアロゾル形成の程度は左右される。
【００３５】
内側空気同軸ノズル６０１、エアロゾル同軸ノズル６０３および外側空気同軸ノズル６０６の同軸ノズルの三分割は、外側周囲部に沿って識別可能である。三つのノズル部分全ての出口開口部は、通常の場合、平面、いわゆる出口平面Ａ内に配置されている。しかしながら、これと異なっていてもよい。さらに個々のノズルの機能を交換すること、すなわちエアロゾル同軸ノズル６０３が、空気同軸ノズル６０１または６０６の機能を引受け、かつ逆に両空気同軸ノズルがエアロゾル同軸ノズルの機能を引受けることも考えられる。その上さらに、出口環状部の数量、あるいは空気同軸ノズル６０１、エアロゾル同軸ノズル６０３、空気同軸ノズル６０６、エアロゾル同軸ノズル６０３及び空気同軸ノズル６０６の組を随意に拡張可能である。
【００３６】
内側空気同軸ノズル６０１および／または外側空気同軸ノズル６０６は各々、内部空間において、空気回転を生じさせるための手段、すなわち渦流を形成させるための手段を有していてもよい。この手段はネジ状に設けられた積層板、材料突起部、またさらに外側空気同軸ノズル６０６では螺旋状に取付けられた管体であってもよい。さらに空気流入部６０７は半径方向に設けられており、かつ単独噴流ノズル内で終わっている。従って、外側空気同軸ノズル６０６の内側ではすでに空気回転が生じている。さらにこの空気回転は空気出口においては外側空気同軸ノズル６０６によってよりいっそう作用する。
【００３７】
一変形において、内側空気同軸ノズル６０１とエアロゾル同軸ノズル６０３は共通の空気エアロゾル同軸ノズル６１０に統合されていてもよい。エアロゾル媒質のための流入開口部６０５は、外周部に配置されており、空気入口６０８はノズル出口の相対する端部に配置されている。空気入口６０８と流入開口部６０５の間には、インジェクタノズル６１３が設けられている。この配設によりインジェクタ効果が上がる。空気エアロゾル同軸ノズル６１０の外周部は、ノズル出口の方向で円錐状に先細りになっている。外側空気同軸ノズル６０６はこの形状に合っている。空気エアロゾル同軸ノズル６１０の外壁と外側同軸ノズル６０６の内壁の間の間隔は、ノズル長の全体にわたってほぼ一定であり、かつ同様に上記のように、空気回転すなわち渦流を生じさせるための手段を備えている。
【００３８】
同軸ノズルと同じで、長方形ノズルあるいは多角形ノズルが構成されている。角が多数の場合、個々のノズルの形状は環状体内に移行する。さらにこの実施形態の場合、例えばノズルの三つの部分は内側空気同軸ノズル６０１、エアロゾル同軸ノズル６０３及び外側空気同軸ノズル６０６内に設けられている。
【００３９】
扁平間隙ノズルの構造は、圧縮空気１０２のためのかつエアロゾル媒質１０１のための水平に配置された間隙開口部を備えていることを特徴とする。各々少なくとも一つの、圧縮空気１０２のための間隙開口部と少なくとも一つの、エアロゾル媒質１０１のための間隙開口部が扁平間隙ノズル内に設けられている。
【００４０】
しかしながら、三つの間隙開口部を備えたノズル体１０３は有利であり、この場合圧縮空気１０２のための二つの間隙開口部は、エアロゾル媒質１０１のための間隙開口部を取囲んでいる。上側１０４と下側１０５は、両間隙開口部１０１と１０２の間のウェブの上方に突出している。上側１０４と下側１０５は、間隙開口部１０１と１０２の間のこのウェブのオーバーラップ部を可変に保持できるように、スライダ１０４として移動可能に設けられていてもよい。これにより、エアロゾルの出口は影響を受ける。移動可能な上側１０４と下側１０５の場所では、全ての側、もしくは上側１０４と下側１０５だけが別のスライダ１０４を備えている。しかしながら、外側には固定したケーシングが設けられていてもよい。さらにこれはエアロゾルの出口に影響を与える。
【００４１】
間隙開口部１０１と１０２の数量は、さらに尚、増やしてもよい。すなわち圧縮空気１０２のための複数の間隙開口部は、エアロゾル媒質１０１のための間隙開口部と互いに代わる。
【００４２】
間隙開口部１０１及び１０２の正面には、扁平でかつ長方形のノズル調節装置１０７が設けられており、このノズル調節装置は側方で外側に向かって拡張しており、従ってその都度拡張された間隙開口部１０８を形成する。それに従い、ノズル調節装置１０７は扁平なトランペット形状を有する。しかしながら逆の実施形態も可能である。すなわちノズル調節装置が先細りになっていることも可能である。
【００４３】
同軸ノズルと扁平間隙ノズルは、出口平面Ａにおいて様々な出口形状を有していてもよい。図１８と１９に異なる形状を示してある。図１８には上から下に向かって続く形状を示してある。すなわち、内側に向いた流線案内部、次いで一様に先細りになった流線案内部、さらに折れ曲がった外縁部、内側に向いた流線案内部と外側に一様に開口した流線案内部、そしてノズル縦方向軸線に対してずれている平行な出口平面である。図１９には上から下に向かって続く形状を示してある。同様に、内側に向いた流線案内部、次いで片側だけの案内部、一様にまたは一様にではなく丸みを付された出口縁部、互いに異なる角度、そして上側開口部が狭まっており、下側開口部が広がっている部分である。
【００４４】
本発明の実施形態の場合では全て、処理剤４は液体であり、この液体は作用物質だけから、あるいは作用物質と水が少々あるいは他の添加物の混合物から成ることを前提としている。水の代わりに、例えばオイルのような他の担持物質も可能である。オイルは、特に温暖な地域においてバッタを撲滅するために使用される。というのも、ここでは即座に水を使用することはオイルに比べて不都合であるからである。しかしながら、本発明は粉末状処理剤を一つ以上の空気流と混合するのに、かつ植物地域内、温室内、あるいは露天栽培地面のどこかにこのような混合流を噴霧あるいは霧状化してまくのに適している。
【００４５】
本発明による記載された実施形態は各々、露天栽培地を処理する場合には、車両あるいは航空機に取り付けるのが好ましく、進行中に広い領域を処理する。乗り物は人力で動く車両、あるいはエンジン動力で動く車両、あるいは船、あるいはホバークラフト、あるいは他の様式で動く担持体、例えばロープウェーであってもよい。
【００４６】
特許請求の範囲は、本発明の好ましい実施形態の例に関する。しかしながら、本発明は、個々の特徴の各々と、特許請求の範囲、明細書および／または図面に開示されている特徴の組合せとの使用にも関する。
【００４７】
空気の代わりに、本発明の場合、いつでも他のガス、例えば植物栄養としてのＣＯ２あるいは任意の混合物を使用することができる。
【００４８】
液体の場合は、極めて密度の高い液体も可能である。
【図面の簡単な説明】
【００４９】
【図１】処理剤を混合し、かつ噴霧するための装置の概略的かつ部分的な縦断面図である。
【図２】図１のノズルヘッドのエグゾースト側の端面を示す図である。
【図３】図１の装置の一部分の他の実施形態の概略図である。
【図４】本発明による装置の他の実施形態の概略的かつ部分的な縦断面図である。
【図５】本発明による装置のさらに別の実施形態の概略的かつ部分的な縦断面図である。
【図６】本発明による装置の他の実施形態の概略的かつ部分的な縦断面図である。
【図７】図４及び５の実施形態の詳細の特別な実施形態を示す図である。
【図８】図４及び５の実施形態の詳細のさらに別の実施形態を示す図である。
【図９】本発明による装置のさらに別の実施形態の概略的かつ部分的な縦断面図である。
【図１０】三つのノズル部分、すなわち内側の空気図である。
【図１１】円錐形の外径とそれに適合した空気用同軸ノズルを有する、組み合わされた空気エアロゾル同軸ノズルを備えた同軸ノズルの断面図である。
【図１２】内側空気用同軸ノズルと、エアロゾル同軸ノズルと、外側空気用同軸ノズルとを有する円錐形の外径を備えた同軸ノズルの断面図である。
【図１３】放射状に設けられた空気吸入部と入射ノズルを備えた同軸ノズルの断面図と正面図である。
【図１４】媒質が流出するための及び空気が流出するための間隙を各々備えた扁平間隙ノズルの正面図と、側面図でのそれに所属する断面図である。
【図１５】空気、媒質、空気の順序で、三つの間隙開口部を備えた扁平間隙ノズルの正面図と、側面図でのそれに所属する断面図である。
【図１６】空気、媒質、空気、媒質、空気の順序で、五つの間隙開口部を備えた扁平間隙ノズルの正面図と、側面図でのそれに所属する断面図である。
【図１７】三つの間隙開口部と、間隙毎に前方に設けられ、かつ広がっている出口を備えた扁平間隙ノズルの正面図とノズル調節装置の平面図である。
【図１８】個々の同軸ノズルと間隙開口部の異なる出口形状を備えた、同軸ノズルあるいは扁平ノズルとしてのノズルヘッドの断面図である。
【図１９】個々の同軸ノズルと間隙開口部の異なる出口形状を備えた、同軸ノズルあるいは扁平ノズルとしてのノズルヘッドの断面図である。
【図２０】本発明による方法に従った作用物質−時間のグラフ（Ｋ１）と従来の方法に従った作用物質−時間のグラフ（Ｋ２）を示す図である。
【図２１】多角形ノズルを備えたノズルヘッドの出口側の端面図である。
【符号の説明】
【００５０】
２      第一混合段
４      処理剤
６      処理剤源
８      空気流
１０    混合流
１４    外側空気流
１６    内側空気流
１８    外側ノズル開口部
２０    内側ノズル開口部
２２    負圧領域
２４    ノズルヘッド
２６    負圧導管
２８    圧力レギュレータ
３０    圧縮空気源
３２    混合流ノズル開口部
３４    流体導管
３６    流体導管の入口
４０    エアロゾル噴流
４２    送風機
４４    ポンプ
４６    リザーブタンク
４８    噴霧器
５０    中間容器
５２    入口開口部
５４    圧力導管
５６    圧力レギュレータ
５８    圧縮空気入口
６０    処理剤の高さ
６２    容器室
１０１  エアロゾル媒質のための間隙開口部
１０２  圧縮空気のための間隙開口部
１０３  ノズル体
１０４  ノズル体の上側、スライダ
１０５  ノズル体の下側
１０６  ノズル体のパネル
１０７  ノズル調節装置
１０８  拡張された間隙開口部
２０２  第一混合段
２０３  第一圧縮空気導管
２０５  圧力レギュレータ
２０７  第二圧縮空気導管
２０９  圧力レギュレータ
２１２  第二混合段
２１３  混合流導管
２１５  搬送液体入口
２１７  吸入開口部
２１９  混合流出口
２２１  負圧領域
２２３  混合流導管／接続導管
２４０  処理剤空気流噴流／エアロゾル噴流
２４１  インジェクタ
６０１  内側空気同軸ノズル
６０２  カラー
６０３  エアロゾル同軸ノズル
６０４  カラー
６０５  流入開口部
６０６  外側空気同軸ノズル
６０７  空気入口
６０８  空気入口
６０９  スリーブ
６１０  空気エアロゾル同軸ノズル
６１１  空気出口リング
６１２  入射ノズル
６１３  インジェクタノズル
Ａ      出口平面
【図１】
2008520405.tif 000003
【図２】
2008520405.tif 000004
【図３】
2008520405.tif 000005
【図４】
2008520405.tif 000006
【図５】
2008520405.tif 000007
【図６】
2008520405.tif 000008
【図７】
2008520405.tif 000009
【図８】
2008520405.tif 000010
【図９】
2008520405.tif 000011
【図１０】
2008520405.tif 000012
【図１１】
2008520405.tif 000013
【図１２】
2008520405.tif 000014
【図１３】
2008520405.tif 000015
【図１４】
2008520405.tif 000016
【図１５】
2008520405.tif 000017
【図１６】
2008520405.tif 000018
【図１７】
2008520405.tif 000019
【図１８】
2008520405.tif 000020
【図１９】
2008520405.tif 000021
【図２０】
2008520405.tif 000022
【図２１】
2008520405.tif 000023
【国際調査報告】
2008520405.tif 000024
2008520405.tif 000025
2008520405.tif 000026
2008520405.tif 000027
2008520405.tif 000028
2008520405.tif 000029
2008520405.tif 000030
2008520405.tif 000031
2008520405.tif 000032
2008520405.tif 000033